(57)【要約】【課題】ＡＶ受信機がコピー防止信号を含むデジタルＡＶ信号を受信しディスプレイ装置に出力する際、復号化装置からディスプレイ装置までの間の伝送路に流れるデジタルコンテンツは平文となるため、容易に取得すること可能である。【解決手段】コピー防止信号を含むデジタルＡＶ信号を復号化する復号化装置と復号化されたデジタルＡＶ信号を出力するためのＡＶ出力装置と前記復号化装置と前記ＡＶ出力装置を結ぶデジタルＡＶ伝送路と前記デジタルＡＶ伝送路を包含する保護装置と前記保護装置が取り外されたことを検知するための保護状態検知装置と前記保護装置が取り外されたことを記憶しておくための保護状態記憶装置とを具備し、前記保護装置が取り外されたことを検出した際に前記復号化装置からのＡＶ出力を停止することで、課題を解決することができるようになる。【選択図】図１
2007214860.tif 000002
【特許請求の範囲】
【請求項１】
コピー防止信号を含むデジタルＡＶ信号を復号化する復号化装置と、復号化されたデジタルＡＶ信号を出力するためのＡＶ出力装置と、前記復号化装置と前記ＡＶ出力装置を結ぶデジタルＡＶ伝送路と前記デジタルＡＶ伝送路を包含する保護装置と、前記保護装置が取り外されたことを検知するための保護状態検知装置と、前記保護装置が取り外されたことを記憶しておくための保護状態記憶装置とを具備したＡＶ信号受信機。
【請求項２】
前記保護装置が取り外されたことを前記保護状態検知装置により検知し前記保護状態記憶装置に保存することを特徴とする保護装置除去検知方法。
【請求項３】
前記保護状態記憶装置に保存された状態により前記復号化装置から前記デジタルＡＶ伝送路へのデジタルＡＶ信号出力を停止することを特徴とするデジタルＡＶ信号停止方法。
【請求項４】
前記保護状態記憶装置に保存された状態をユーザに提示することを特徴とする保護状態表示方法。
【発明の詳細な説明】
【技術分野】
【０００１】
本発明は、コピー防止信号を含むデジタルコンテンツを復号化した後、ディスプレイデバイスに伝送するまでの間のコンテンツ保護装置に関する。
【背景技術】
【０００２】
近年、デジタルコンテンツの急速な普及に伴い、不正コピーやインターネットを通した二次配信といった著作権保護の問題が大きな焦点となっている。そこで近年、デジタルコンテンツの著作権保護技術としてコピー防止信号を含んだコンテンツをユーザ配信し、ユーザが視聴する時だけ復号し平文化するといった方法が主流となっている。このような暗号化技術により、デジタルコンテンツの不正コピーを防止している。
【０００３】
しかし、例えばテレビジョン受信機の場合、デジタルコンテンツの復号化装置からディスプレイデバイスまで伝送される間は平文化されたデジタルコンテンツが流れることになる。この平文化されたデジタルコンテンツを取得することで、不正コピーが可能となる。
【０００４】
過去の発明ではデジタルコンテンツの暗号化技術に特化しており、復号し平文化されたデジタルコンテンツの保護に対して考慮されていなかった。
【特許文献１】特開２００２−３００５９５号公報
【発明の開示】
【発明が解決しようとする課題】
【０００５】
解決しようとする問題点は、コピー防止信号を含むデジタルコンテンツを復号し、ディスプレイデバイスへ伝送する間、平文化されたデジタルコンテンツを保護できない点である。
【課題を解決するための手段】
【０００６】
前述した課題を解決するために、本発明では、コピー防止信号を含むデジタルＡＶ信号を復号化する復号化装置と復号化されたデジタルＡＶ信号を出力するためのＡＶ出力装置と前記復号化装置と前記ＡＶ出力装置を結ぶデジタルＡＶ伝送路と前記デジタルＡＶ伝送路を包含する保護装置と前記保護装置が取り外されたことを検知するための保護状態検知装置と前記保護装置が取り外されたことを記憶しておくための保護状態記憶装置とを具備することにより、前記保護装置が取り外された場合に、前記復号化装置からのデジタルＡＶ信号出力を停止することを最も主要な特徴とする。
【０００７】
前記復号化装置はＤＴＣＰ（Ｄｉｇｉｔａｌ  Ｔｒａｎｓｍｉｓｓｉｏｎ  Ｃｏｎｔｅｎｔ  Ｐｒｏｔｅｃｔｉｏｎ）により暗号化されたデジタルＡＶ信号を復号化する場合を含む。
【０００８】
また前記復号化装置はＨＤＣＰ（Ｈｉｇｈ  Ｄｅｆｉｎｉｔｉｏｎ  Ｍｕｌｔｉｍｅｄｉａ  Ｉｎｔｅｒｆａｃｅ）により暗号化されたデジタルＡＶ信号を復号化する場合を含む。
【０００９】
前記ＡＶ出力装置はＬＣＤやＰＤＰ、微小な鏡を使うデータプロジェクターといったディスプレイ装置を含む。
【００１０】
また前記ＡＶ出力装置はスピーカといった音声出力装置を含む。
【００１１】
前記保護装置は受信機の筐体を含む。
【００１２】
また前記保護装置は前記デジタルＡＶ伝送路を包含するシールドケースを含む。
【００１３】
また前記保護状態記憶装置はＥＥＰＲＯＭやフラッシュＲＯＭ、ＨＤＤといった記録媒体を含む。
【００１４】
一方、前述した課題を解決するために、本発明では、前記保護装置が取り外されたことを前記保護状態検知装置により検知し前記保護状態記憶装置に保存する保護装置除去検知方法も特徴である。
【００１５】
前記保護装置除去検知方法として、前記保護装置を固定するネジやピンが外されたことを電気的に前記保護状態検知装置が検知する方法を含む。その場合、前記保護装置と前記保護状態検知装置とを信号線で結び、前記保護装置がネジやピンで固定されている場合と外されている場合で信号線の電圧を変化されることで前記保護状態検知装置が検知することが可能となる。
【００１６】
更に、前述した課題を解決するために、本発明では、前記保護状態記憶装置に保存された状態により前記復号化装置から前記デジタルＡＶ伝送路へのデジタルＡＶ信号出力を停止するデジタルＡＶ信号停止方法も特徴である。
【００１７】
また、前記デジタルＡＶ信号停止方法は、前記保護状態記憶装置に前記保護装置が外されたことを記録した後は、二度とデジタルＡＶ信号を前記デジタルＡＶ伝送路に伝送しない方法を含む。
【００１８】
更に、本発明では、前記保護状態記憶装置に保存された状態をユーザに提示する保護状態表示方法も特徴である。
【００１９】
前記保護状態表示方法は、ＯＳＤにてＬＣＤやＰＤＰ、微小な鏡を使うデータプロジェクターといったディスプレイ装置に出力する方法を含む。
【００２０】
また、前記保護状態表示方法は、受信機に取り付けられたＬＥＤを点灯させる方法を含む。
【００２１】
また、前記保護状態表示方法は、受信機に取り付けられたスピーカから特定の音声を出力する方法も含む。
【００２２】
また、前記保護状態表示方法は、前記保護装置が外された場合のみ表示する方法も含む。
【発明の効果】
【００２３】
本発明のデジタルＡＶ受信機は、従来保護できなかった平文化されたデジタルコンテンツの不正コピーを防止することが可能となる。
【発明を実施するための最良の形態】
【００２４】
保護装置が外された場合にデジタルＡＶ信号出力を停止し、ユーザに認知可能な形式で提示するという目的をもっとも単純に実現した形態を図１に示す。図１のデジタルＡＶ受信機は、復号化装置１００、ディスプレイ装置１１０、保護装置１２０、保護状態検知装置１３０、保護状態記憶装置１４０を有する。
【００２５】
（実施の形態１）
復号化装置１００はＤＴＣＰやＨＤＣＰにより暗号化されたデジタルＡＶ信号を復号化し平文のデジタルストリームを出力する。
【００２６】
ディスプレイ装置１１０はＬＣＤやＰＤＰ、微小な鏡を使うデータプロジェクターといった装置であり、平文化されたデジタルストリームを出力するとともに、保護状態をユーザに提示する機能も有する。
【００２７】
保護装置１２０は復号化装置１００とディスプレイ装置１１０を結ぶデジタルＡＶ伝送路を包含するシールドケースであり、ネジやピンにより受信機の筐体に固定されている。
【００２８】
保護状態検知装置１３０は保護装置１２０が受信機の筐体に固定されているかどうかを電気的に検知し、その検知結果を保護状態記憶装置に書き込む。また、検知結果をディスプレイ装置１１０に表示する機能も有する。
【００２９】
保護状態記憶装置１４０は書き込まれた保護状態を保持する。受信機への電源供給が途絶えても情報が消去されないように、ＥＥＰＲＯＭやフラッシュＲＯＭ、ＨＤＤを使用する。
【００３０】
図２は図１で示したブロック図を元に保護状態を表示するための方法を示したフローチャートである。
【００３１】
まず保護状態検知装置１３０は保護装置１２０が外されたことを検知する（Ｓ２００）。
【００３２】
次に復号化装置１００のデジタルＡＶ出力を停止させ（Ｓ２１０）、保護状態記憶装置１４０に保護装置が外されたことを記憶させる（Ｓ２２０）。
【００３３】
そして検知結果をディスプレイ装置１１０に表示する（Ｓ２３０）。
【００３４】
以上、本発明の望ましい実施例をブロック図とフローチャートを用いて説明したが、本発明は前述した構成及び作用に限らないことに注意する。
【産業上の利用可能性】
【００３５】
本発明のデジタルコンテンツを受信する受信機において、復号し平文化されたデジタルコンテンツを悪意あるユーザに不正にコピーされることを防止することが可能となる。
【図面の簡単な説明】
【００３６】
【図１】本発明の実施の形態１におけるＡＶ受信機を示すブロック図
【図２】本発明の実施の形態１におけるデジタルコンテンツ保護方法を示すフローチャート
【符号の説明】
【００３７】
１００    復号化装置
１１０    ディスプレイ装置
１２０    保護装置
１３０    保護状態検知装置
１４０    保護状態記憶装置
【図１】
2007214860.tif 000003
【図２】
2007214860.tif 000004